(57)【特許請求の範囲】
【請求項１】
吊ボルトにて吊設されている水平桟に吊り金具を介して天井パネルを取付ける構造において、吊り金具は縦板、上板、底板、及び係合部を有す押出し材を所定長さに切断したもので、上板は縦板の上端から内側へ屈曲して延び、底板は縦板の下端に設けられて内外側へ延び、そして上記係合部は概略Ｌ形断面をして底板の内端に形成され、天井パネルの側端には補強部材を設けると共に、該補強部材には中立面を対称に概略四角形の補強部を間に空間を介在して形成し、吊り金具の係合部を天井パネル補強部に係合して底板を表面にネジ止めし、そして、上板を水平桟の上面に係止すると共に縦板を水平桟の側面に当接してネジ止めしたことを特徴とする天井パネルの取付け構造。
【請求項２】
上記概略Ｌ形断面の係合部は縦部と受け部を有し、受け部先端には上方へ傾斜して延びる係止片を形成し、該係止片は補強部の隅に係止した請求項１記載の天井パネルの取付け構造。
【請求項３】
両天井パネル間の天井裏側の目地空間には係合部の縦部が嵌り、天井面側の目地空間にはシール材を嵌めた請求項１、又は請求項２記載の天井パネルの取付け構造。
【請求項４】
上記吊り金具を隣り合う天井パネルの目地空間に跨って配置した請求項１、請求項２、又は請求項３記載の天井パネルの取付け構造。
【発明の詳細な説明】
【技術分野】
【０００１】
本発明は外観及び強度を兼ね備えた天井パネルの取付け構造に関するものである。
【背景技術】
【０００２】
天井材として一般に天井パネルが使用されるが、所定の高さに吊設されている天井梁材には上記天井パネルの縁が載って支持される。図７は従来の天井パネルの取付け構造を示す具体例であり、同図の（イ）は天井梁材、（ロ）は天井パネルを表し、天井梁材（イ）は概略逆Ｔ形断面を成し、下端の受け部（ハ）には天井パネル（ロ）の側端が載って支持され、上方からはパネル押え（ニ）にて浮上しないように押えられている。
【０００３】
天井梁材（イ）の上端には吊設部（ホ）が設けられ、該吊設部（ホ）に吊具(図示なし)が嵌って吊ボルト(図示なし)にて吊り下げられる。又、受け部（ハ）の受け面には気密パッキン（ヘ）が貼着されている。このように、天井パネル（ロ）、（ロ）・・は天井梁材（イ）の受け部（ハ）に載って配列・支持される為に、支持強度は高くなるが、上記受け部（ハ）は天井表面に露出してしまい、その結果、外観が損なわれる。
【０００４】
一方、天井裏には排気ダクトを配管したり、電気配線工事を行うなど、天井パネル（ロ）、（ロ）・・を取付けた後で天井裏に上っての各種作業が必要となる。この場合に作業者が天井パネル（ロ）、（ロ）・・の上を歩いても、支えることが出来る強度が必要である。天井パネルの側端が受け部（ハ）に載ることで、支持強度は確保されるが、天井パネル（ロ）、（ロ）・・間には受け部（ハ）が表面に介在して延び、これが天井の外観を損なっている。その為に、該受け部（ハ）を持たないで天井パネル（ロ）、（ロ）・・が配列・支持される構造の方が好ましい。
【０００５】
実公平２−４０１６８号に係る「クリーンルーム等における天井パネル取付装置」は、相互に開口部を外側に向けて配置された左右一対の梁構成溝形材にハンガーを掛け止めし、該ハンガーの下端に形成した下部係合部がパネル側端に設けている溝形補強材に係合している。すなわち、ハンガー下端の下部係合部に形成している上側水平壁に、天井パネルの接続端部に設けている溝形補強材の凹部上壁が載置している。
【０００６】
従って、天井パネル側端を支持している下部係合部が外に露出することはなく、天井の外観は良好となる。しかし、溝形補強材の上壁に係合しているが強度は低く、又天井パネルの取付け作業が面倒である。すなわち、両天井パネルの側端をハンガー下部係合部に係合した状態で、該ハンガーを梁構成溝形材に掛け止めしなくてはならず、１枚ずつ取付けることは出来ない。
【特許文献１】実公平２−４０１６８号に係る「クリーンルーム等における天井パネル取付装置」
【発明の開示】
【発明が解決しようとする課題】
【０００７】
このように、従来の天井パネルの取付け構造には上記のごとき問題がある。本発明が解決しようとする課題はこれら問題点であり、天井の外観を損なうことなく、人が天井パネルの上を歩くことが出来るように強度が高く、しかも天井パネルの取付け作業が便利な天井パネルの取付け構造を提供する。
【課題を解決するための手段】
【０００８】
本発明に係る天井パネルの取付け構造は、吊り金具を介して天井パネルが水平桟(天井梁材)に取付けられる。そこで、吊り金具は上板、縦板、底板、及び係合部を有し、上板は縦板の上端にて内側へ屈曲し、底板は縦板の下端にて内側と外側へ水平に延び、そして係合部は底板の内縁から下方に概略Ｌ形をして形成される。
【０００９】
この吊り金具は吊ボルトに吊設しているブドウ棚の水平桟に取付けられる。すなわち、水平桟の上面に上板が係止すると共に縦板は側面にネジ止めされ、底板の下方に形成した係合部は天井パネルの側端補強部材に係合する。該補強部材はアルミなどの押出し材で構成され、天井パネルの中立面を中心として上下に概略四角形断面の補強部を形成している。
【００１０】
この補強部に係合部が係合することで天井パネルの側端は支持され、そして、底板は天井パネル面にネジ止めされる。２枚の吊り金具は水平桟の両側面に対を成して取付けられ、互いに突き合わされた両天井パネルは２枚の吊り金具によって支持・固定され、両天井パネルの目地空間はシールされる。
【発明の効果】
【００１１】
本発明では天井パネルが吊り金具によって支持されるが、該吊り金具の係合部が補強部材に形成している補強部に係合する。従って、係合部はパネル面に露出することはなく、天井外観は良好である。そして、天井パネルの側端には補強部材が設けられ、しかも補強部材はＣ形断面ではなくリブを有した補強部を形成し、この補強部に所定長さの係合部が係合する。よって、天井パネルの支持強度は高く、天井裏を作業者が載っても破損することはない。
【００１２】
そして、天井パネルを取付ける場合、所定長さに切断した吊り金具を天井パネルの側端に取着し、この吊り金具を水平桟に係止すると共に縦板を側面にネジ止めする。すなわち、天井パネル１枚ごと吊り金具を介して水平桟に取付けることが出来、天井パネルの取付け作業は簡単である。
【実施例】
【００１３】
図１は天井パネルを取付けた平面図で、天井を上方から見た場合である。同図の１は天井パネル、２は水平桟、３は吊ボルト、４は吊り金具を示している。水平桟２，２・・は吊ボルト３，３・・に吊設されて互いに平行に配置され、水平桟２，２・・には吊り金具４，４・・が取着されており、この吊り金具４，４・・を介して天井パネル１，１・・が取付けられている。
【００１４】
図２は図１のＢ−Ｂ断面拡大図を表し、同図に示すように、水平桟２は吊ボルト３の下端に取着されている。そして、この水平桟２には吊り金具４が係止してネジ止めされている。吊り金具４は所定長さの板状体であって押出し材を所定長さに切断したもので、水平桟２の所々に係止して天井パネル１の側端を保持している。
【００１５】
図３は吊ボルト３によって水平桟２が吊設される吊設構造を示し、水平桟２の上片５には穴が貫通し、この穴に吊ボルト３が挿通すると共に上下ナット６ａ，６ｂによってネジ締め・固定されている。この場合、上片５の上にはコ形をした補助金具７を配置した状態でネジ止めしている。天井パネル１，１・・はこのように吊ボルト３にて吊設・固定された水平桟２に上記吊り金具４を介して取付けられる。
【００１６】
図４は本発明に係る天井パネルの取付け構造の実施例を示す断面図である。このように、水平桟２に取着した吊り金具４にて天井パネル１は水平に保持され、しかも保持強度は高く、吊り金具４は天井表面８に露出しない構造としている。ところで、吊り金具４は図５に示しているが、縦板９、上板１０、底板１１、そして係合部１２で構成される押出し材が用いられている。
【００１７】
上板１０は縦板９の上端から左側(内側)へ延び、底板１１は縦板９の下端にて左右側(内外側)へ延びている。又、底板１１の内端には概略Ｌ形をした係合部１２が下方に設けられる。そこで、上記縦板９は水平桟２の側面に当接すると共に上板１０は水平桟２の上面に係止し、縦板９は水平桟２の側面にネジ止めされる。
【００１８】
そして、上記係合部１２は天井パネル１の側端に係合して支持することが出来る。天井パネル１の側端には補強部材１３が設けられ、この補強部材１３は従来のようなコ形断面ではなく、概略四角形の補強部１４，１４が中立面を対称に形成している。従って、補強部材１３の強度は高くなる。中立部には空間１５を有し、この空間１５に係合部１２の受け部１６が設けられ、該受け部１６に補強部１４が載っている。
【００１９】
受け部１６の先端には上方へ傾斜した係止片１７を設け、この係止片１７は補強部１４のコーナーに係止している。天井パネル１の補強部材１３に設けた補強部１４が係合部１２の水平な受け部１６に載ることで、該天井パネル１は吊り金具４を介して水平桟２に取付けられる。そして、吊り金具４の底板１１は天井パネル１の表面にネジ止めしている。
【００２０】
ところで、天井パネル１を取付ける場合、天井パネル１の側端に上記吊り金具４を取付ける。すなわち、係合部１２を補強部材１３の補強部１４に係合し、底板１１を表面にネジ止めする。吊り金具４は、補強部１４に係合した状態では該補強部材１３に沿ってスライドすることが出来、適当な位置でネジ止めして固定される。この場合、係合部１２の先端に係止片１７を設けることで、吊り金具４が外れることはない。
【００２１】
吊り金具４を取付けた天井パネル１は水平桟２に係止され、そして縦板９は水平桟２にネジ止めされる。図４に示すごとく、１本の水平桟２には隣り合う左右の天井パネル１，１が取付けられ、両天井パネル１，１の間には係合部１２，１２の縦部１８，１８が嵌る目地空間１９が形成されるが、この目地空間１９はシールされて塞がれる。勿論、間仕切り装置の目地材を嵌めることも可能である。
【００２２】
図６は天井パネル１，１・・を取付けた平面図で、図１の別形態を表し、吊り金具４は隣り合う天井パネル１ａ，１ｂ間の目地空間に跨って配置している。図１の場合には１枚の天井パネル１を吊設するに際して４個の吊り金具４，４・・が必要であるが、図６に示す天井では半数の吊り金具４，４にて構成することが出来る。そして、隣り合う天井パネル１ａ，１ｂに跨って吊り金具４を配置することで、施工性が向上すると共に天井パネル間の目地が揃って天井外観が良くなる。
【図面の簡単な説明】
【００２３】
【図１】天井パネルを取付けた天井上方からの平面図。
【図２】図１のＢ−Ｂ断面拡大図。
【図３】水平桟の吊設構造。
【図４】図１のＡ−Ａ断面拡大図で、本発明に係る天井パネルの取付け構造。
【図５】吊り金具の具体例。
【図６】天井パネルを取付けた天井上方からの平面図。
【図７】従来の天井パネルの取付け構造。
【符号の説明】
【００２４】
１  天井パネル
２  水平桟
３  吊ボルト
４  吊り金具
５  上片
６  ナット
７  補助金具
８  天井表面
９  縦板
10  上板
11  底板
12  係合部
13  補強部材
14  補強部
15  空間
16  受け部
17  係止片
18  縦部
19  目地空間
【図１】
0005004091.tif 000002
【図２】
0005004091.tif 000003
【図３】
0005004091.tif 000004
【図４】
0005004091.tif 000005
【図５】
0005004091.tif 000006
【図６】
0005004091.tif 000007
【図７】
0005004091.tif 000008